(57)【要約】【課題】遊技台の間の隙間を著しく侵食することなく設置可能であって、パチンコ店等の遊技場における空気中に存在する汚染物質を除去及び中和する。【解決手段】遊技場用エアカーテン装置は、遊技台１０に隣接して鉛直方向に延びて設けられ空気排出口２２が形成された台間パネル２１と、台間パネル２１の後方で吸引した空気を空気排出口２２から前方に吹出す送風機３１と、送風機３１が吸引する空気の流路に設けられたイオン発生装置４６とを備える。送風機３１が吹出す空気を台間パネル２１の前方上方に案内するノズル部材４２が台間パネル２１の前面に取付けられる。送風機３１を収納したハウジング２６が台間パネル２１に取付けられ、ハウジング２６にエア取入口がイオン発生装置４６に臨むように形成され、イオン発生装置４６を通過して送風機３１に吸引される空気の流路を形成する整流部材が設けられることが好ましい。【選択図】  図１
2011183003.tif 000002
【特許請求の範囲】
【請求項１】
遊技台(10)に隣接して鉛直方向に延びて設けられ空気排出口(22)が形成された台間パネル(21)と、
前記台間パネル(21)の後方に設けられ前記台間パネル(21)の後方で吸引した空気を前記空気排出口(22)から前記台間パネル(21)の前方に吹出す送風機(31)と、
前記台間パネル(21)の後方であって前記送風機(31)が吸引する空気の流路に設けられたイオン発生装置(46)と
を備えた遊技場用エアカーテン装置。
【請求項２】
送風機(31)が吹出す空気を台間パネル(21)の前方上方に案内するノズル部材(42)が前記台間パネル(21)の前面に空気排出口(22)を覆うように取付けられた請求項１記載の遊技場用エアカーテン装置。
【請求項３】
前端が開口するハウジング(26)に送風機(31)が収納され、
前記送風機(31)を収納したハウジング(26)が台間パネル(21)に後方から取付けられ、
台間パネル(21)の後方であって前記ハウジング(26)の外部の空気を前記ハウジング(26)の内部空間に取入れるエア取入口(26c)がイオン発生装置(46)に臨むように形成された
請求項１又は２記載の遊技場用エアカーテン装置。
【請求項４】
イオン発生装置(46)を通過して送風機(31)に吸引される空気の流路を形成する整流部材(47)が台間パネル(21)の後方に設けられた請求項１ないし３いずれか１項に記載の遊技場用エアカーテン装置。
【発明の詳細な説明】
【技術分野】
【０００１】
本発明は、パチンコ店等の遊技場における遊技台に隣接して設けられ、遊技台と隣接する遊技台との間に空気によるカーテンを形成するエアカーテン装置に関する。更に詳しくは、カーテンを形成する空気中の汚染物質を除去及び中和し得るエアカーテン装置に関するものである。
【背景技術】
【０００２】
従来、パチンコ台やスロットマシン等の遊技台を設置する遊技場にあっては、遊技する人が長時間遊技する間に喫煙することが多いことから、室内には常にタバコ臭及びタバコ煙が充満している。このタバコの煙は、タバコを吸わない人のみならず、タバコを吸う人にあっても健康面・環境面からも好ましいものではないことから、遊技場は常時空気を浄化することが求められている。そこで、室内の天井等にダクトを配設して、ここから室内の空気を取込んで別途に設置されている空気清浄装置を用いて集中方式で空気浄化を行うことが通常行われている。
【０００３】
一方、タバコの煙は喫煙者にとってはさほど気にならないが、タバコを吸わない人にとっては極めて不快のものである。また、タバコの煙そのものも人体にとって有害なものである。よって、少なくとも隣接する遊技者間におけるタバコの煙による被害を極力低減する手段が必要とされる。そして、この低減手段として、遊技台と隣接する遊技台との間に空気によるカーテンを形成するエアカーテン形成装置が提案されている（例えば、特許文献１参照。）。
【０００４】
このエアカーテン形成装置は、隙間をあけて並設される複数の遊技台のその隙間内に収納される細長の中空筒体からなる筐体と、その筐体内に配置される単一の遠心ブロアとを有するものであり、筐体の正面側に長手方向に沿って送風口としての多数個のスリット状開口部を形成し、ブロアにより筺体内部を流通する空気をスリット状開口部から吹出すことによりエアカーテンを形成し得るとしている。そして、その筐体内にマイナスイオン発生装置を収納することにより、その筺体内部を流通する空気をそのマイナスイオン発生装置に強制的に通過させ、発生するマイナスイオンにより空気中の汚染物質を除去及び中和した後、その空気をスリット状開口部から送出することにより、遊技者の健康向上に寄与するとしている。
【先行技術文献】
【特許文献】
【０００５】
【特許文献１】特開２００７−８９８８４号公報（段落番号「０００６」及び「００１４」）
【発明の概要】
【発明が解決しようとする課題】
【０００６】
しかし、上記従来のエアカーテン形成装置では、ブロアにより吹出される空気をスリット状開口部から吹出すために、ブロアとスリット状開口部を連通する空気流路を形成する必要がある。このため、筺体が中空筒体からなることを必須要件とするとともに、エアカーテンを幅広く形成するためには多数個のスリット状開口部を長手方向に連続して形成する必要があった。よって、幅広いエアカーテンを形成するために中空筒体からなる空気流路を比較的長く形成する必要があるけれども、筺体の中空筒体としなければならない部分の長さが長くなると、遊技台と遊技台の間の隙間に従来から設けられている遊技媒体貸出装置等の為に必要な空間がこの空気流路により侵食され、遊技台間における設計の自由度が減少する不具合があった。
【０００７】
また、上記従来のエアカーテン形成装置では、マイナスイオン発生装置をその空気流路に設ける必要もあり、筺体における中空筒体を形成する部分の構造をそのイオン発生装置を収納可能にしなければならず、その空気流路の形状が構造的に複雑になるという不具合もあった。
【０００８】
本発明の目的は、遊技台の間の隙間を著しく侵食することなく設置可能であって、パチンコ店等の遊技場における空気中に存在する汚染物質を除去及び中和するとともに、遊技台下部から天井に向かう空気流を生じさせて、喫煙者が吸うタバコの煙を比較的早く天井等に設けられた空気清浄装置の取入口に到達させ得る遊技場用エアカーテン装置を提供することにある。
【課題を解決するための手段】
【０００９】
本発明の遊技場用エアカーテン装置は、遊技台に隣接して鉛直方向に延びて設けられ空気排出口が形成された台間パネルと、台間パネルの後方に設けられ台間パネルの後方で吸引した空気を空気排出口から台間パネルの前方に吹出する送風機と、台間パネルの後方であって送風機が吸引する空気の流路に設けられたイオン発生装置とを備える。
【００１０】
この場合、送風機が吹出す空気を台間パネルの前方上方に案内するノズル部材を台間パネルの前面に空気排出口を覆うように取付けることが好ましい。また、前端が開口するハウジングに送風機を収納し、送風機を収納したハウジングを台間パネルに後方から取付け、台間パネルの後方であってハウジングの外部の空気を内部空間に取入れるエア取入口をイオン発生装置に臨むように形成することもできる。更に、イオン発生装置を通過して送風機に吸引される空気の流路を形成する整流部材を台間パネルの後方に設けることが好ましい。
【発明の効果】
【００１１】
本発明の遊技場用エアカーテン装置では、送風機により台間パネルの後方で吸引した空気を台間パネルの前方に吹出して遊技台と遊技台との間に空気の壁を作り、その送風機が吸引する空気の流路にイオン発生装置を設けるので、イオン発生装置から発生したマイナスイオンをその送風機が吸引して台間パネルの前方に吹出すことができる。台間パネルの前方に吹出されたマイナスイオンは、その空気中に存在するウイルスやカビ、又はバクテリアやアレルギー原因物質、又は活性酸素等の汚染物質を除去及び中和し、遊技者の健康向上に寄与する。従って、台間パネルの後方に送風機が吹出す空気流路を形成する必要はなく、台間パネルを中空筒体とする必要はない。このため、遊技台と遊技台との間の隙間に従来から設けられている遊技媒体貸出装置等のための空間を侵食するようなことはなく、遊技台と遊技台との間の隙間における設計の自由度を減少させることはない。
【００１２】
そして、送風機が吹出す空気を台間パネルの前方上方に案内するノズル部材を備えることにより、遊技台と遊技台との間に幅の広い空気の壁を作ることができ、台間パネルの前面に沿って上方に向かう空気流を比較的容易に得ることが可能になる。そして、上方に吹出された空気はその周囲における喫煙の煙を取込んでその煙とともに上方に移動するので、遊技台下部のタバコの煙が天井に向かう空気流が生じ、遊技台周囲のタバコの煙を遊技台上部の別に設けられた空気清浄装置に短時間に吸い込ませることができる。
【００１３】
また、送風機をハウジングに収納することにより、送風機の取付けが容易となり、そのハウジングにエア取入口を形成することにより、エア取入口を通過する空気流路を形成することができる。そして、そのエア取入口がイオン発生装置に臨むようにすることにより、送風機が吸引する空気流路にそのイオン発生装置を容易に配置することができる。
【００１４】
更に、イオン発生装置を通過して送風機に吸引される空気の流路を形成する整流部材を台間パネルの後方に設けることにより、そのイオン発生装置から発生したイオンを確実に送風機に吸引させることができ、そのイオンを開口部を介して台間パネルの前方に確実に導くこともできる。
【図面の簡単な説明】
【００１５】
【図１】本発明実施形態の遊技場用エアカーテン装置を示す図４のＡ−Ａ線断面図である。
【図２】そのエアカーテン装置の送風機の取付け状態を示す分解斜視図である。
【図３】そのエアカーテン装置を斜め前方からみた斜視図である。
【図４】そのエアカーテン装置が併設された遊技機の正面図である。
【図５】そのエアカーテン装置から吹出される空気の流れを示す遊技場の通路の断面図である。
【図６】そのエアカーテン装置におけるイオン発生装置の取付け状態を示す斜視図である。
【図７】そのイオン発生装置の別の取付け状態を示す図６に対応する斜視図である。
【図８】ダクトが形成された整流部材を用いる図６に対応する斜視図である。
【図９】ダクトが形成された整流部材を用いる図７に対応する斜視図である。
【図１０】エア取入口がイオン発生装置に臨むハウジングを有する本発明の別のエアカーテン装置を示す図１に対応する断面図である。
【発明を実施するための形態】
【００１６】
次に、本発明を実施するための最良の形態を図面に基づいて説明する。
【００１７】
図４に示すように、遊技場内には、遊技台であるパチンコゲーム機１０と、このゲーム機１０で使用するパチンコ玉を貸出す遊技媒体貸出装置１１とが複数並設される。遊技媒体貸出装置１１は、紙幣又は硬貨を投入する投入口１１ａから投入された紙幣又は硬貨の種類及び枚数に応じてパチンコ玉をその下部に設けられた貸出口１１ｂから排出するように構成されたものである。また、遊技台であるパチンコゲーム機１０は、遊技者によって発射されたパチンコ球が移動してゲームを進行させるための各種部品が取付けられた遊技盤１２を前面ガラスの内側に備え、その下方正面に、パチンコ球の受け皿１３や、遊技者がパチンコ球の打ち出し操作するためのハンドル１４等を備える。そして、この遊技台であるパチンコゲーム機１０には、そのハンドル１４の下方に喫煙者のための灰皿１６が設けられる。本発明の遊技場用エアカーテン装置２０は、このような遊技台１０に隣接して設けられるものであって、この実施の形態では遊技台であるパチンコゲーム機１０に遊技媒体貸出装置１１とともに併設される例を示す。
【００１８】
図３に示すように、本発明のエアカーテン装置２０は、遊技台１０に隣接して設けられた台間パネル２１を備える。台間パネル２１は遊技台１０の間を塞ぐような幅を有し、貸出装置１１に併設可能に鉛直方向に延びる縦長に形成される。この台間パネル２１は長尺状の鋼板の両側を同一方向に折り曲げることにより断面がコ字状に形成され、遊技台１０の間を実際に塞ぐ縦長の中央板２１ａと、その中央板２１ａの幅方向の両側に折り曲げられて形成されたフランジ２１ｂとを有する。また、中央板２１ａの上部及び下部もフランジ２１ｂ側に折り曲げられ、取付孔２１ｄが形成された取付板２１ｅが形成される。この台間パネル２１は、中央板２１ａが遊技台１０の間を塞いた状態で取付板２１ｅが取付孔２１ｄを介して取付けられ、遊技台１０に隣接して設けられるように構成される（図４）。
【００１９】
また、本発明のエアカーテン装置２０は、台間パネル２１の前面に沿って上方に向かう空気流を生じさせる空気送風手段２５を備える。図１に示すように、この実施の形態における空気送風手段２５は、台間パネル２１の後方に設けられ台間パネル２１の後方で吸引した空気を空気排出口２２から台間パネル２１の前方に吹出す送風機３１と、その送風機３１が吹出す空気を台間パネル２１の前方上方に案内する後述するノズル部材４２とを備える。図３に戻って、台間パネル２１の高さをＬとすると、空気排出口２２は、灰皿１６の近傍に位置する台間パネル２１の下部、この実施の形態では台間パネル２１の下端からＬ／３の範囲に形成される。この実施の形態における排出口２２は、図２に示すように、この台間パネル２１の下部における中央板２１ａを打ち抜くことにより形成され、その排出口２２は比較的大きな方形状の単一の孔からなる場合を示す。
【００２０】
図２に示すように、送風機３１は、台間パネル２１に後方から取付けられたハウジング２６を介して台間パネル２１の後方に設けられる。この実施の形態におけるハウジング２６は樹脂成型品であり、前端の開口を二分する鉛直面により分断される左右の部材２６ａ，２６ｂを組み合わせることにより作られるものを示す。そのハウジング２６は、排出口２２の下部を塞ぐように台間パネル２１に後方から取付けられるものであって、送風機３１を収納する収納部２７と、その収納部２７から斜め上方に傾斜して設けられた導風部２８を有する。収納部２７は、台間パネル２１の後方であって台間パネル２１の前面と平行に設けられた鉛直板２７ａと、その鉛直板２７ａの両側から台間パネル２１に向かって設けられた互いに平行な第１及び第２側板２７ｂ，２７ｃと、その第１及び第２側板２７ｂ，２７ｃの上縁の間及び下縁の間を塞ぐ上板２７ｄ及び下板２７ｅとを有する。
【００２１】
一方、導風部２８は上板２７ｄの台間パネル２１側端縁に下端が連続し上方に向かうほどその台間パネル２１に近づく傾斜板２８ａと、その傾斜板２８ａの両側から台間パネル２１に向かって設けられて第１及び第２側板２７ｂ，２７ｃに連続する互いに平行な第３及び第４側板２８ｂ，２８ｃと、その第３及び第４側板２８ｂ，２８ｃの上縁の間を塞ぐ端板２８ｄとを有する。この収納部２７と導風部２８からなるハウジング２６は、第１及び第２側板２７ｂ，２７ｃとそれらに連続する第３及び第４側板２８ｂ，２８ｃと下板２７ｅと端板２８ｄの台間パネル２１側端縁によりその前端が開口し、かつその内部に空間が形成されるように構成される。
【００２２】
第１及び第２側板２７ｂ，２７ｃの間隔及びそれらに連続する第３及び第４側板２８ｂ，２８ｃのそれぞれの外側における間隔は、台間パネル２１における中央板２１ａの幅と同一に、即ち、中央板２１ａの両側に形成されたフランジ２１ｂにより挟まれる間隔と同一に形成される。第１及び第２側板２７ｂ，２７ｃ及び第３及び第４側板２８ｂ，２８ｃには互いに外側に向かって突出する係止リブ２７ｆ，２８ｆがそれぞれ形成される。一方、台間パネル２１のフランジ２１ｂには、その係止リブ２７ｆ，２８ｆが係止可能な係止孔２１ｆがそれぞれ形成される。そして、この係止孔２１ｆに係止リブ２７ｆ，２８ｆを係止させることにより、ハウジング２６は台間パネル２１に後方から離脱可能に取付けられ、その前端における開口が台間パネル２１に形成された空気排出口２２を塞ぐように構成される。
【００２３】
図１及び図２に示すように、送風機３１はハウジング２６の収納部２７に収納され、その送風機３１がハウジング２６の内部空間の空気を台間パネル２１における排出口２２から吹出すように構成される。送風機３１は図示しないリード線を介して供給される電力により駆動するモータ駆動であって、その吹出口３１ａがハウジング２６の前端開口より前方に突出するように、ハウジング２６の内部に台間パネル２１の排出口２２に対向するように取付けられる。この送風機３１は市販されている既存のもの又は特別に誂えたものであって、この取付けは止めねじ３２（図１）により行われ、送風機３１には取付用の取付孔３１ｂ（図２）が形成される。図２に示すように、ハウジング２６における一方の側板２７ｂには取付孔３１ｂに対向する位置に雌ねじ孔２７ｈが形成される。この実施の形態ではハウジング２６を構成する右の部材２６ａに雌ねじ孔２７ｈが形成されたものを示す。
【００２４】
送風機３１の取付けは、ハウジング２６を構成する左右の部材２６ａ，２６ｂを分割し、その右の部材２６ａの送風機３１を取付けようとする箇所にその送風機３１を位置させる。すると、取付孔３１ｂが雌ねじ孔２７ｈに対向するので、その状態で取付孔３１ｂに止めねじ３２（図１）を挿入し、その後雌ねじ孔２７ｈに螺合することにより送風機３１を右の部材２６ａに取付ける。そして、その後、左右の部材２６ａ，２６ｂを組み合わせることにより、送風機３１が収納されたハウジング２６を得ることができる。この実施の形態では、送風機３１をハウジング２６に取付けた状態で、送風機３１の吹出口３１ａはハウジング２６の前端開口より前方に突出し、図１に示すように、そのハウジング２６を台間パネル２１に取付けると、その吹出口３１ａは更に排出口２２からも突出して、吹出口３１ａから空気を台間パネル２１の前方斜め上方に吹出すように構成される。
【００２５】
図２及び図３に示すように、ハウジング２６には、外部の空気を内部空間に取入れるエア取入口２７ｊが形成される。この実施の形態ではハウジング２６を構成する左の部材２６ｂにエア取入口２７ｊが形成され、このエア取入口２７ｊを開放可能に閉止する蓋板２９が設けられる。この蓋板２９には、エア取入口２７ｊからハウジング２６の内部空間に取入れられる空気を濾過するフィルタ３６が設けられる。即ち、この蓋板２９を介してフィルタ３６がエア取入口２７ｊに設けられる。蓋板２９はハウジング２６と同種類の樹脂からなる成型品であって、扇状の複数の開口部２９ａが形成され、フィルタ３６はこの開口部２９ａを覆うように蓋板２９に貼り付けられる。このフィルタ３６は、いわゆるスポンジと言われる海綿状のプラスチック発泡体からなるシート状又は薄板状のものであって、発泡ポリスチレン、発泡ポリウレタン、発泡ポリエチレン等からなるものが例示される。このフィルタ３６は、海綿状であることからエア取入口２７ｊからハウジング２６の内部空間に取入れられる空気を濾過し、その空気から塵埃を除去するように構成される。
【００２６】
図１に示すように、台間パネル２１の前面には、台間パネル２１に形成された排出口２２を覆うノズル部材４２が取付けられる。このノズル部材４２は、排出口２２から前方に突出する送風機３１の吹出口３１ａとともにその排出口２２を覆うように構成される。このノズル部材４２は、送風機３１の吹出口３１ａから吹出される空気を台間パネル２１の前方上方に案内するものであって、樹脂成型品から構成される。このノズル部材４２は上下方向に長く形成され、その前面中央には縦長の吹出しスリット４２ａ（図４）が形成される。そして、このノズル部材４２は、その下部が排出口２２を送風機３１の吹出口３１ａとともに覆う幅に形成される。
【００２７】
図１に示すように、ノズル部材４２の周囲には排出口２２の孔縁に係止する複数のフック４２ｂが一体的に形成される。図では上下に２つのフック４２ｂが形成されたものを示す。そして、このフック４２ｂを排出口２２の孔縁に係止させることにより、このノズル部材４２は台間パネル２１の前面に取付けられる。このノズル部材４２は、台間パネル２１に取付けられた状態で台間パネル２１との間に縦長の空間を形成し、送風機３１の吹出口３１ａからその空間の下部に吹出される空気をこの縦長の空間の上方に案内するように構成される。そしてこのノズル部材４２には、縦長の空間を下部から上方に向かって流れる空気を、中央に縦長に形成された吹出しスリット４２ａから台間パネル２１の前方上方に案内してそのまま吹出させる複数のフィン４２ｄが形成される。
【００２８】
ここで、この実施の形態では、図１，図３及び図４に示すように、送風機３１を操作するスイッチ３３がノズル部材４２の上部に取付けられ、このスイッチ３３をオン操作することにより図示しないリード線を介して送風機３１に電力が供給され、送風機３１が駆動してハウジング２６の内部空間の空気を排出口２２から吹出し、このスイッチ３３をオフ操作することにより電力の供給は遮断され、送風機３１が停止するように構成される。
【００２９】
図１及び図３に示すように、本発明のエアカーテン装置２０は、台間パネル２１の後方であって送風機３１が吸引する空気の流路に設けられたイオン発生装置４６を備える。このイオン発生装置４６は、マイクロプラズマの発生により空気中の水分子を分解して水素イオンを作るプラスのセラミック電極４６ａと、セラミック電極４６ａにより得られた水素イオンを含む空気に高電圧電子を放射して活性水素と酸素イオンを作るマイナスの針状電極４６ｂとを有する。この実施の形態におけるイオン発生装置４６は、送風機３１が吸引する空気の流路であるハウジング２６上部に整流部材４７を介して取付けられる。
【００３０】
整流部材４７はイオン発生装置４６を通過して送風機３１に吸引される空気の流路を形成するものであって、図３の拡大図に示すように、この実施の形態における整流部材４７はイオン発生装置４６を収容可能な断面が方形を成す筒状物であって、一方の開口端縁４７ａがハウジング２６の上板２７ｄ（図２）における左右の部材２６ａ，２６ｂの双方に跨って取付けられる。この整流部材４７には、その周囲における一面にハウジング２６のエア取入口２７ｊに近接する切り欠き４７ｂが一方の開口端縁４７ａから連続して形成され、他方の開口端縁４７ｃから流入した空気がこの切り欠き４７ｂから流出するように形成される。このイオン発生装置４６は、セラミック電極４６ａを通過した空気が針状電極４６ｂを通過することによりイオンを発生させるので、針状電極４６ｂが切り欠き４７ｂに近づくように整流部材４７に収容されて取付けられる。このように、イオン発生装置４６は整流部材４７を介して台間パネル２１の後方に設けられる。そして、このイオン発生装置４６は、送風機３１と連動して駆動するように構成され、ノズル部材４２に設けられたスイッチ３３をオン操作することにより送風機３１とともに駆動してマイナスイオンを発生させ、このスイッチ３３をオフ操作して送風機３１が停止すると同時にマイナスイオンの発生も停止するように構成される。
【００３１】
なお、図３における符号４８は、台間パネル２１に設けられ、遊技台であるパチンコゲーム機１０における遊技方法が記載された図示しない遊技案内シートを収納するポケット４８である。このポケット４８は、台間パネル２１の前面に開口し、その開口部４８ａからその図示しない遊技案内シートを取出し可能に収納し、遊技者が必要に応じてその遊技案内シートを取出して遊技の参考にするように構成される。
【００３２】
次に、このように構成された遊技場用エアカーテン装置の動作を説明する。
図４及び図５に示すように、遊技台１０の前で着座してその遊技台１０で遊技する者がノズル部材４２に設けられたスイッチ３３をオン操作すると、送風機３１が駆動して台間パネル２１に設けられたハウジング２６の内部空間の空気が排出口２２から吹出される。図１の一点鎖線矢印で示すように、送風機３１により排出口２２から前方斜め上方に吹出された空気は、ノズル部材４２により台間パネル２１の上方に案内される。そして、図５に示すように、ノズル部材４２により台間パネル２１の前方斜め上方に向かって吹出された空気は、その台間パネル２１の下部から上部にわたって遊技台１０とそれに隣接する遊技台１０との間に幅の広い空気の壁を作ることになる。このため、この空気の壁により喫煙者が吐き出したタバコの煙がその喫煙者が遊戯する遊技台１０に隣接する遊技台１０にまで達することを防止することができ、喫煙者に隣接する遊技台１０で遊戯する者にその煙が吹きかかることを有効に回避することができる。
【００３３】
一方、本発明の遊技場用エアカーテン装置２０では、台間パネル２１の後方に送風機３１が吹出す空気流路を形成していない。即ち、本発明の遊技場用エアカーテン装置では、台間パネル２１の後方に送風機３１が吹出す空気の流路を形成することなく、遊技台１０と遊技台１０との間に空気の壁を作ることができる。このため、遊技台１０と遊技台１０との間の隙間に従来から設けられている遊技媒体貸出装置１１等のための空間を侵食するようなことはない。よって、遊技台１０と遊技台１０との間の隙間における設計の自由度を著しく減少させることなく、本発明の遊技場用エアカーテン装置２０を設置することができる。
【００３４】
また、スイッチ３３をオン操作して送風機３１を駆動させると、その送風機３１は台間パネル２１の後方で吸引した空気を空気排出口２２から台間パネル２１の前方に吹出すので、図１の二点鎖線矢印で示すように、その台間パネル２１の後方には送風機３１が吸引する空気の流路が形成される。送風機３１をハウジング２６に収納するこの実施の形態では、ハウジング２６に形成されたエア取入口２７ｊを通過する空気流路が形成される。図６に示すように、そのエア取入口２７ｊはハウジング２６を構成する左の部材２６ｂに形成されているので、その右の部材２６ｂの周囲からエア取入口２７ｊに向かう空気流が形成され、イオン発生装置４６にもエア取入口２７ｊに向かう空気流が生じる。そして、整流部材４７を介してイオン発生装置４６を取付けるこの実施の形態では、そのイオン発生装置４６を通過する空気流は、整流部材４７における他方の開口端縁４７ｃから流入してイオン発生装置４６を通過した後、切り欠き４７ｂから流出してエア取入口２７ｊに向かうことになる。一方、スイッチ３３をオン操作すると、送風機３１とともにそのイオン発生装置４６も同時に駆動する。このため、イオン発生装置４６から発生したマイナスイオンはエア取入口２７ｊに向かう空気流によりハウジング２６の内部に導かれ、そこで送風機３１により吸引されて台間パネル２１の後方から前方に吹出される。そして、そのマイナスイオンは空気流中に存在するウイルスやカビ、又はバクテリアやアレルギー原因物質、又は活性酸素等の汚染物質を除去及び中和し、遊技者の健康向上に寄与することになる。
【００３５】
即ち、本発明の遊技場用エアカーテン装置２０では、送風機３１が吹出す空気流路ではなく、送風機３１が吸引する空気流路にイオン発生装置４６を設ける。送風機３１が吸引する空気流路は送風機３１の周囲に自然に生じるため、送風機３１が吹出す空気流路を形成するために従来必要とされた中空筒体なるようなものを本発明では必要としない。このため、遊技台１０と遊技台１０との間の隙間に従来から設けられている遊技媒体貸出装置１１等のための空間を侵食するようなことはなく、遊技台１０と遊技台１０との間の隙間における設計の自由度を減少させることはない。そして、そのような中空筒体のようなものを必要としないにもかかわらず、本発明のエアカーテン装置２０では、イオン発生装置４６により発生させたマイナスイオンの全てが送風機３１に吸引されて台間パネル２１の前方に吹出されることになる。このように送風機３１が吸引する空気流路にイオン発生装置４６を設けることにより、送風機３１が吹出す空気流路にイオン発生装置を設ける従来のものに比較して、その構造を単純かつ簡易化させることができる。そして、そのイオン発生装置４６を取付ける台間パネル２１等の構造も単純化するので比較的安価なエアカーテン装置２０を得ることが可能となる。
【００３６】
また、ノズル部材４２により上方に吹出された空気はその周囲における喫煙の煙を取込んでその煙とともに上方に移動し、別に設けられた図示しない空気清浄装置のエア取入口に達する。このため、遊技台１０下部のタバコの煙が天井に向かう空気流が生じ、遊技台１０周囲のタバコの煙を遊技台１０上部の別に設けられた空気清浄装置に短時間に吸い込ませることができる。この結果、遊技場の内部がタバコの煙により充満することは回避され、遊技する人に対するタバコの煙の影響をより少なくすることができる。特にこの実施の形態では、灰皿１６（図４）の近傍に位置する台間パネル２１の下部、即ち、台間パネル２１の下端から全高Ｌの１／３の範囲に空気排出口２２を形成するので、その排出口２２を覆うノズル部材４２から吹出される空気流はその灰皿１６に置かれたタバコの煙を取込んでその煙とともに上昇するので、その灰皿１６に置かれたタバコの煙を遊技台１０上部の別に設けられた空気清浄装置に短時間に吸い込ませることができる。
【００３７】
更に、図５に示すように、遊技場では、遊技台１０が連なった遊技島９と遊技島９の間に通路８が設けられているけれども、ノズル部材４２は台間パネル２１の前方上方に向かって空気を吹出させるので、遊技場における遊技島９と遊技島９の間に設けられた通路８を歩行する人やその通路を挟んだ背面側の別の遊技台１０で遊戯する者にその空気が直接吹きかかるような事態を防止することもできる。
【００３８】
一方、送風機３１により空気が吹出されると、ハウジング２６の内部には、ハウジング２６に形成されたエア取入口２７ｊから空気が取入れられる。このエア取入口２７ｊに設けられたフィルタ３６では、その取入口２７ｊから取入れられる空気から塵埃が除去され、このように塵埃が除去されてハウジング２６の内部空間に取入れられた空気を送風機３１により排出口２２から吹出すことができ、塵埃が遊技場の内部に吹出されて蔓延するような事態を防止することができる。
【００３９】
ここで、ノズル部材４２は、台間パネル２１の下部に形成された排出口２２を送風機３１の吹出口３１ａとともに覆うので、送風機３１の吹出口３１ａが台間パネル２１の前方に突出することに起因する見栄えの悪化を回避することができる。
なお、上述した実施の形態では、遊技台がパチンコゲーム機１０である場合を説明したが、遊技台はスロットマシンであっても良い。
また、上述した実施の形態では、ノズル部材４２にスイッチ３３を設けたけれども、このスイッチ３３は台間パネル２１に取付けても良い。また、上述した実施の形態では、喫煙者がスイッチ３３をオン動作する場合を説明したが、隣接する遊技者のタバコの煙が降りかかることを防止するために、喫煙者と隣接して遊戯するものであって喫煙しない遊技者がこのスイッチ３３を操作するようにしても良く、遊技場の管理者や管理用コンピュータがこのスイッチ３３を操作するようにしても良い。また、煙センサ等の煙検出手段を別に設け、この煙検出手段が煙を検出したときに送風機３１が駆動するようにしても良い。
【００４０】
また、上述した実施の形態では、送風機３１と連動してイオン発生装置４６が駆動するエアカーテン装置２０を説明したが、イオン発生装置４６のスイッチを送風機３１のスイッチ３３と別に設け、イオン発生装置４６を送風機３１と別に駆動させるようにしても良い。例えば、マイナスイオンを発生させることなく送風機３１を駆動して、遊技台１０と遊技台１０との間に空気の壁を形成するようにしても良い。但し、イオン発生装置４６を駆動させる場合には、発生するマイナスイオンを台間パネル２１の後方から前方に導き出すことが必要とされるので、送風機３１を必ず駆動するようにすることが好ましい。
【００４１】
また、上述した実施の形態では、空気排出口２２が台間パネル２１の下端からＬ／３の範囲に形成される場合を説明したが、この範囲に空気排出口２２が形成されたエアカーテン装置２０に限定するものではなく、台間パネル２１のどの部位に空気排出口２２を形成しても良い。
【００４２】
また、上述した実施の形態では、イオン発生装置４６が整流部材４７を介してハウジング２６に取付けられる場合を説明したけれども、イオン発生装置４６の周囲を通過して送風機３１に向かう空気流が十分である場合には、この整流部材４７を設けることなくイオン発生装置をハウジング２６又は台間パネル２１に直接取付けても良い。
【００４３】
また、上述した実施の形態では、筒状の整流部材４７がハウジング２６における左右の部材２６ａ，２６ｂの双方に跨って取付けられる場合を説明したけれども、図７に示すように、筒状の整流部材４７をハウジング２６の上板２７ｄ（図１及び図２）に対してずらし、エア取入口２７ｊが形成された左の部材２６ｂに取付けて整流部材４７の一方の開口端縁４７ａの一部が開放されるようにしても良い。この場合には、整流部材４７における他方の開口端縁４７ｃから流入した空気はこの開放された一方の開口端縁４７ａの一部から流出することになり、空気を流出させるために必要とされた図６における切り欠き４７ｂを不要にすることができる。
【００４４】
また、筒状の整流部材４７を用いてもイオン発生装置４６を通過して送風機３１に向かう空気流が不足しがちな場合には、図８及び図９に示すように、イオン発生装置４６を収容する筒状の本体部４７ｄに連続して、その本体部４７ｄを通過する空気をエア取入口４７ｊにまで導くダクト部４７ｅを形成しても良い。図８におけるダクト部４７ｅは、本体部４７ｄに形成された空気を流出する切り欠き４７ｂを覆い、そこから流出する空気をエア取入口４７ｊにまで導くように形成されたものである。図９におけるダクト部４７ｅは、本体部４７ｄにおける一方の開口端縁４７ａの開放された一部を覆い、そこから流出する空気をエア取入口４７ｊにまで導くように形成されたものである。このようなダクト部４７ｅを有する整流部材４７であれば、イオン発生装置４６を通過して送風機３１に向かう空気流を増加させることができる。
【００４５】
更に、上述した実施の形態では、エア取入口２７ｊがハウジング２６を構成する左の部材２６ｂに形成された場合を説明したけれども、イオン発生装置４６の周囲を通過してエア取入口２７ｊに向かう空気流が不足しがちな場合には、図１０に示すように、台間パネル２１の後方であってハウジング２６の外部の空気をハウジング２６の内部空間に取入れるエア取入口２６ｃをイオン発生装置４６に臨んで形成することもできる。このようにそのエア取入口２６ｃがイオン発生装置４６に臨むようにすれば、送風機３１が吸引する空気流路はエア取入口２６ｃを介して形成されるので、その空気流路にイオン発生装置４６を容易に配置することができ、イオン発生装置４６を通過してエア取入口２６ｃに向かう空気流を増加させることができる。この場合であっても、エア取入口２６ｃにフィルタ３６を設けることにより、塵埃が除去された空気を送風機３１により排出口２２から吹出すことができる。
【００４６】
また、エア取入口２６ｃがイオン発生装置４６に臨んでいてもイオン発生装置４６を通過して送風機３１に吸引される空気量を十分に確保できない場合には、そのエア取入口２６ｃを包囲してそのエア取入口２６ｃとイオン発生装置４６とを連結する筒状部材からなる整流部材４７を設けることもできる（図１０）。このように、イオン発生装置４６を通過して送風機３１に吸引される空気の流路を形成する整流部材４７を台間パネル２１の後方に設ければ、送風機３１が吸引する全ての空気がイオン発生装置４６を通過したものとなり、イオン発生装置４６を通過する空気量を確実に増加させることができ、そのイオン発生装置４６から発生したイオンを効果的に送風機３１に吸引させることができる。このように、イオン発生装置４６を通過してエア取入口２６ｃに向かう空気流を増加させることにより、台間パネル２１の前方に吹出されるイオンを増加させることができる。
【符号の説明】
【００４７】
１０  遊技台
２０  遊技場用エアカーテン装置
２１  台間パネル
２２  空気排出口
２６  ハウジング
２６ｃ  エア取入口
３１  送風機
４２  ノズル部材
４６  イオン発生装置
４７  整流部材
【図１】
2011183003.tif 000003
【図２】
2011183003.tif 000004
【図３】
2011183003.tif 000005
【図４】
2011183003.tif 000006
【図５】
2011183003.tif 000007
【図６】
2011183003.tif 000008
【図７】
2011183003.tif 000009
【図８】
2011183003.tif 000010
【図９】
2011183003.tif 000011
【図１０】
2011183003.tif 000012